(57)【要約】【課題】開閉障害となることがない引戸を提供すること。【解決手段】障子４と、障子４の下部を案内するレール９と、を備え、障子４の下部は、レール９に形成されたレール溝９１を清掃する清掃部品を備える引戸である。レール９の長さは、障子４の閉鎖時における戸尻框４４よりも見付方向外側まで延びる。レール溝９１の一端部は開放されている。清掃部品は、障子４の戸先側の振れ止めに設けられている。清掃部品は、障子４の閉鎖状態における戸先側のレール溝９１の近傍に設けられている。【選択図】図１０
2019065600.tif 000002
【特許請求の範囲】
【請求項１】
障子と、
前記障子の下部を案内するレールと、を備える引戸であって、
前記障子の下部は、前記レールに形成されたレール溝を清掃する清掃部品を備える引戸。
【請求項２】
前記清掃部品は、前記障子の戸先側の振れ止めに設けられている請求項１に記載の引戸。
【請求項３】
前記レール溝の前記障子の閉鎖状態における戸先框近傍には、前記レール溝底部から上方に延びる傾斜面を有する傾斜部材が設けられる請求項１又は２に記載の引戸。
【請求項４】
前記レールの長さは、前記障子の戸先框の可動範囲と同等もしくは前記障子の可動範囲よりも前記障子開方向に長く形成される請求項１〜３いずれかに記載の引戸。
【請求項５】
前記レールの長さは、前記障子の閉鎖時における戸尻框よりも見付方向外側まで延びる請求項４に記載の引戸。
【請求項６】
前記レール溝の一端部は開放されている請求項１〜請求項５いずれかに記載の引戸。
【請求項７】
前記清掃部品は、前記障子の閉鎖状態における戸先側の前記レール溝の近傍に設けられている請求項１〜請求項６のいずれかに記載の引戸。
【発明の詳細な説明】
【技術分野】
【０００１】
本発明は、引戸に関する。
【背景技術】
【０００２】
従来より、例えばコンビニエンスストア等の店舗の出入口には、自動ドア等の引戸が設けられている。店舗等、多くの人が出入りするような出入口に設けられる自動ドアでは、自動ドアのレール溝に砂や塵埃などが堆積して汚れていると、店舗の印象も悪くなり、ひどい場合には自動ドアの開閉の支障となるため、レールの点検・清掃が欠かせない。しかし、このようなレールの清掃は、店舗運営上の負担となっており、清掃性の良い自動ドア等の引戸が望まれている。
【０００３】
例えば、自動ドア等の引戸ではなく、窓ガラスの溝に溜まるほこりやゴミを、窓ガラスを開閉するだけで取り除けるように、サッシの両端部分にブラシを植え付けることが知られている（例えば、特許文献１参照）。
【先行技術文献】
【特許文献】
【０００４】
【特許文献１】実開平６−８７５９４号公報
【発明の概要】
【発明が解決しようとする課題】
【０００５】
しかし、上記公報に記載されているように、窓ガラスの溝には塵埃が若干堆積する程度であるが、店舗などの出入口は、人の出入りが頻繁である上、塵埃だけでなく、硬貨等の異物が溝に入る場合があり、引戸の開閉障害の原因となってしまうことがある。
本発明は、開閉障害となることがない引戸を提供することを目的とする。
【課題を解決するための手段】
【０００６】
上記目的を達成するため本発明は、障子（例えば、後述の障子４）と、前記障子の下部を案内するレール（例えば、後述のレール９）と、を備える引戸（例えば、後述の引戸１）であって、前記障子の下部は、前記レールに形成されたレール溝（例えば、後述のレール溝９１）を清掃する清掃部品（例えば、後述のモヘア４２７２）を備える引戸を提供する。
【０００７】
また、前記清掃部品は、前記障子の戸先側の振れ止め（例えば、後述の第１の振れ止め４２７）に設けられていることが好ましい。また、前記レール溝の前記障子の閉鎖状態における戸先框（例えば、後述の戸先框４３）近傍には、前記レール溝底部から上方に延びる傾斜面を有する傾斜部材（例えば、後述の台形状部材９２）が設けられることが好ましい。また、前記レールの長さは、前記障子の戸先框の可動範囲と同等もしくは前記障子の可動範囲よりも前記障子開方向に長く形成されることが好ましい。また、前記レールの長さは、前記障子の閉鎖時における戸尻框（例えば、後述の戸尻框４４）よりも見付方向外側まで延びることが好ましい。また、前記レール溝の一端部は開放されていることが好ましい。また、前記清掃部品は、前記障子の閉鎖状態における戸先側の前記レール溝の近傍に設けられていることが好ましい。
【発明の効果】
【０００８】
本発明によれば、レール溝に入った異物を除去できる引戸を提供することができる。
【図面の簡単な説明】
【０００９】
【図１】本発明の一実施形態に係る引戸の正面図である。
【図２】上記実施形態に係る引戸における吊り障子の戸先側の縦断面図である。
【図３】上記実施形態に係る引戸の横断面図である。
【図４】上記実施形態に係る引戸における吊り障子の戸尻側の縦断面図である。
【図５】上記実施形態に係る引戸における吊り障子の戸先側の下部の第１の振れ止めを示す斜視図である。
【図６】上記実施形態に係る引戸における吊り障子の戸尻側に位置するレールの振れ止めを示す斜視図である。
【図７】上記実施形態に係る引戸における中方立に設けられたシリンダ錠を示す斜視図である。
【図８】上記実施形態に係る引戸における中方立に設けられたシリンダ錠のデッドボルトが係合する係合穴を示す斜視図である。
【図９】上記実施形態に係る引戸におけるレールに、１円硬貨が落ちた様子を示す断面図である。
【図１０】上記実施形態に係る引戸におけるレールのレール溝を、モヘアが清掃している様子を示す部分断面図である。
【図１１】上記実施形態の変形例に係る引戸におけるレールの台形状部材を示す斜視図である。
【図１２】上記実施形態の変形例に係る引戸におけるレールを示す斜視図である。
【発明を実施するための形態】
【００１０】
以下、本発明の実施形態について、図面を参照しながら詳しく説明する。なお、本明細書において、「見付方向」とは、建物に形成された開口部に納められた例えば自動ドアや手動の引戸等の引戸１の上枠、下枠の長手方向（すなわち、ガラスや吊り障子４の面内方向）を意味し、「見込方向」とは、屋内外方向（すなわち、奥行き方向）を意味する。また、吊り障子４、４の戸先框（突合框）が突合される位置を中央位置（図１における左右方向の中央の位置）と定義する。
【００１１】
本発明の一実施形態に係る引戸１について説明する。図１は、本発明の一実施形態に係る引戸１の正面図である。
引戸１は、建物の開口部１０に取り付けられる枠体２と、枠体２内においてスライド可能な吊り障子４，４と、吊り障子４、４の振れを抑えると共に吊り障子４、４の移動を案内するレール９と、を備える引分け戸である。引戸１は、左右対称に構成される。なお、図１は、吊り障子４，４が開放された状態を示す。
【００１２】
枠体２は、上枠２１と、下枠２２と、左右の縦枠２３，２３と、中方立２４と、を有しており、上枠２１（無目）と、縦枠２３，２３と、により矩形に枠組みされる。
【００１３】
中方立２４は、上枠２１、縦枠２３，２３、及び下枠２２と共に枠組みされてＦＩＸ部枠体３０を構成する。ＦＩＸ部枠体３０の内部には、ＦＩＸ板としてのガラスパネル３５が嵌め込まれる。ＦＩＸ部枠体３０を構成する下枠２２は、床面１０２上に配置される。中方立２４は、吊り障子４，４が閉鎖された状態においては、屋内側からは後述する戸尻框４４によって覆われる。
【００１４】
吊り障子４は、框体４０と、框体４０の内部に嵌め込まれるガラスパネル４５と、を備える。框体４０は、上框４１と、下框４２と、戸先框４３と、戸尻框４４と、を框組みすることで構成される。框体４０を構成する下框４２は、床面１０２よりも上に配置される。
【００１５】
図２は、引戸１における吊り障子４の戸先側の縦断面図である。
無目としての上枠２１は、屋外側に配置され且つ中空部を有するホロー構造である上枠本体２１１と、上枠本体２１１の屋内側に固定される駆動ユニット２１２と、を備える。
上枠２１の屋外側の下部には、下側へ開口するガラスパネル支持凹部２１１１が形成されている。ガラスパネル支持凹部２１１１においては、ガラスパネル３５は、端部がセッティングブロック２１１２に当接し、バックアップ材２１１３によって挟まれて支持されている。更にバックアップ材２１１３の下方には、シール材２１１４が塗工される。上枠本体２１１は、例えば、アルミニウムを押し出し成型することによって形成することができる。
【００１６】
駆動ユニット２１２は、図示せぬ駆動装置を有しており、この駆動装置によって吊り障子４を水平方向且つ見付方向にスライド可能である。駆動ユニット２１２には、検知センサ２１３が設けられており、この検知センサ２１３にて人体などが検出された際に、吊り障子４がスライドして建物開口部１０が開放されるように構成されている。なお、検知センサ２１３については、本実施例のように駆動ユニット２１２に設けられる以外に、天井など、様々な場所に設けられてもよい。
【００１７】
下枠２２は、屋外側に配置され且つ中空部を有するホロー構造である下枠本体２２１を有している。下枠２２の屋外側の上部には、ガラスパネル支持凹部２２１１が形成されている。ガラスパネル支持凹部２２１１においては、下枠２２に固定された押縁２２１５と、下枠２２の屋外側の上部とにより、ガラスパネル３５の下部が支持されている。ガラスパネル３５は、端部がセッティングブロック２２１２に当接し、バックアップ材２２１３によって挟まれて支持されている。更にバックアップ材２２１３の上方には、シール材２２１４が塗工される。下枠本体２２１は、例えば、アルミニウムを押し出し成型することによって形成することができる。
【００１８】
縦枠２３は、縦枠本体部２３１と、延出部２３２とを有している。縦枠本体部２３１は、縦枠２３において屋内側に位置しており、図３に示す水平面で切った断面である横断面では、中空の長方形状を有している。延出部２３２は、縦枠本体部２３１から見込み方向であって屋外側へ延び、屋外側の先端部が見付方向へ所定の幅で広がるＴ字形状を有しており、Ｔ字形状の部分と縦枠本体部２３１の一部とにより見付方向に開口するコの字状の縦枠挿入溝２３２１が形成されている。
図３は、引戸１の横断面図である。
【００１９】
縦枠挿入溝２３２１には、ガラスパネル３５の側部が支持されている。ガラスパネル３５は、バックアップ材２３１３によって挟まれて支持されている。更にバックアップ材２３１３よりもガラスパネル３５の中央寄りには、シール材２３１４が塗工される。縦枠本体部２３１は、例えば、アルミニウムを押し出し成型することによって形成することができる。
【００２０】
中方立２４は、中方立本体部２４１と、延出部２４２とを有している。中方立本体部２４１は、中方立２４において屋内側に位置しており、図３に示す水平面で切った断面である横断面では、断面矩形の中空の長方形状を有している。延出部２４２は、中方立本体部２４１から見込み方向であって屋外側へ延び、屋外側の先端部が見付方向へ所定の幅で広がるＴ字形状を有しており、Ｔ字形状と中方立本体部２４１の一部とにより見付方向に開口するコの字状の中方立挿入溝２４２１が形成されている。
【００２１】
中方立挿入溝２４２１には、ガラスパネル３５の中央位置側の側部が支持されている。ガラスパネル３５は、バックアップ材２４１３によって挟まれて支持されている。更にバックアップ材２４１３よりもガラスパネル３５の見付方向内側には、シール材２４１４が塗工される。中方立本体部２４１は、例えば、アルミニウムを押し出し成型することによって形成することができる。
【００２２】
中方立本体部２４１には、施錠装置としてのシリンダ錠８が設けられている。シリンダ錠８は、中方立本体部２４１の中空部分に収容されており、シリンダ錠８のシリンダ８２は、対向して配置された一対の中方立本体部２４１の対向面からそれぞれ突出している。また、対向面に対する中方立本体部２４１の反対の面には、図７に示すように、サムターン８１がそれぞれ突出している。また、中方立本体部２４１の屋外側の面には、長方形状の貫通孔が形成されており、貫通孔から屋内側へシリンダ錠８のデッドボルト８３（図６等参照）が突出可能である。
図６は、引戸１における吊り障子４の戸尻側に位置するレール９の振れ止め９５を示す斜視図である。図７は、引戸１における中方立２４に設けられたシリンダ錠８を示す斜視図である。なお、図６、図８、図１０等においては、説明の便宜上、適宜床面１０２の図示を省略している。
【００２３】
図２に示すように、上框４１は、中空部を有する断面矩形のホロー構造である上框本体中央部４１１を有している。上框本体中央部４１１の下側には、上框本体下部４１２が壁部４１６２によって隔てられて設けられている。上框本体下部４１２には、見付方向内側（図２中下側）へ向って開口する上框ガラスパネル支持凹部４１３が形成されている。上框ガラスパネル支持凹部４１３には、ガラスパネル４５の上部が挿入されて支持されている。ガラスパネル４５は、バックアップ材４１１３によって挟まれて支持されている。バックアップ材４１１３は、断面Ｌ字状に形成された固定部材４１１５によって、上框４１に固定されている。更にバックアップ材４１１３の見付方向内側（図２中下側）には、シール材４１１４が塗工される。
【００２４】
上框本体中央部４１１の上側には、被吊り下げ部４１４が、壁部４１６１によって隔てられて設けられている。被吊り下げ部４１４には、上側へ向って開口する被吊り下げ凹部４１３１が形成されている。被吊り下げ凹部４１３１においては、被吊り下げ凹部４１３１の開口を塞ぐように、ワッシャ４１３２が上框４１に固定されている。ワッシャ４１３２は、ボルト２１２２により、駆動ユニット２１２の駆動アーム２１２１の下端部に固定されている。図示しない駆動装置が駆動することにより、駆動ユニット２１２は、図２の紙面の裏面と表面とを結ぶ方向に、吊り障子４を移動させる。
【００２５】
下框４２は、中空部を有する断面矩形のホロー構造である下框本体中央部４２１を有している。下框本体中央部４２１の上側には、下框本体上部４２２が壁部４１６２によって隔てられて設けられている。下框本体上部４２２には、ガラスパネル３５の見付方向内側（図２中上側）へ向って開口する下框ガラスパネル支持凹部４２３が形成されている。下框ガラスパネル支持凹部４２３には、ガラスパネル４５の下部が挿入されて支持されている。ガラスパネル４５は、端部がセッティングブロック４２１２に当接し、バックアップ材４２１３によって挟まれて支持されている。バックアップ材４２１３は、断面Ｌ字状に形成された固定部材４２１５によって、下框４２に固定されている。更にバックアップ材４２１３の上側には、シール材４２１４が塗工される。
【００２６】
下框本体中央部４２１の下側には、框レール部４２４が、壁部４２６１によって隔てられて設けられている。框レール部４２４には、図５に示すように、下框４２の長手方向に沿って延びる框レール溝４２４１が形成されている。吊り障子４の下部である下框４２の底面であって、框レール溝４２４１の両脇には、框レール溝４２４１に平行にモヘア固定溝が形成されており、モヘア固定溝には、モヘア４２５が框レール溝４２４１に沿って、それぞれ設けられている。下框４２の戸先側の框レール溝４２４１の部分には、レール溝９１に向かって突出する第１の振れ止め４２７が設けられている。換言すれば、第１の振れ止め４２７は、吊り障子４の閉鎖状態における下框４２の戸先側でレール９のレール溝９１内に配置されている。
図５は、引戸１における吊り障子４を下から見た状態の戸先側の下部の第１の振れ止め４２７を示す斜視図である。
【００２７】
第１の振れ止め４２７は、図１０に示すように、レール９のレール溝９１に挿入された状態でレール９によって、レール９内における移動が案内され、これにより、吊り障子４の下部を含めた吊り障子４全体がレール９に沿って案内される。第１の振れ止め４２７は、底面の形状が、図５に示すように、２つの台形の下底同士を接続したような形状に形成されており、２つの台形の当該接続位置には、溝４２７１が形成されている。溝４２７１には、レール９に形成されたレール溝９１を清掃する清掃部品としてのモヘア４２７２が、挿入され圧着されることにより、２つの台形の下底の位置に沿って見込方向に一直線状に設けられている。各台形の上底に相当する部分は、レール９のレール溝９１において第１の振れ止め４２７が案内される方向における先端部に位置し、同方向において第１の振れ止め４２７は、先細り形状に形成されている。第１の振れ止め４２７を構成する各台形は、ボルト４２７３によって貫通され、ボルト４２７３の先端部は、下框本体中央部４２１と框レール部４２４とを隔てている壁部４２６１（図２等参照）に固定されている。
図１０は、引戸１におけるレール９のレール溝９１を、モヘア４２７２が清掃している様子を示す部分断面図である。
【００２８】
図３に示すように、戸先框４３は、断面矩形の中空の縦框本体部４３１を有している。縦框本体部４３１の中央位置側には、衝撃緩衝部材４３２が設けられている。衝撃緩衝部材４３２は、断面Ｌ字状に形成された固定部材４３１１によって、縦框本体部４３１に固定されている。
一方の吊り障子４の戸先框４３に設けられた衝撃緩衝部材４３２１は、他方の吊り障子４の戸先框４３の方へ突出する突出部を有しており、他方の吊り障子４の戸先框４３に設けられた衝撃緩衝部材４３２２には、一方の戸先框４３の衝撃緩衝部材４３２１の凸部が係合する凹部が形成されている。これらの凸部と凹部とは、図３に示すように、吊り障子４が閉鎖されているときに、互いに係合し合っている。
【００２９】
縦框本体部４３１の見付方向外側には、戸尻側本体部４３３が壁部４３４によって隔てられて設けられている。戸尻側本体部４３３には、両脇にホロー構造の中空の両脇部分が設けられることにより見付方向へ向って開口する戸尻側ガラスパネル支持凹部４３３２が形成されている。ガラスパネル支持凹部４３３２には、ガラスパネル４５の側部が挿入されて支持されている。縦框本体部４３１と戸尻側本体部４３３とを隔てる壁部４３４には、セッティングブロック４３３３がねじによって固定されている。ガラスパネル４５の中央側の端部は、セッティングブロック４３３３に当接している。また、ガラスパネル４５は、バックアップ材４３３４によって挟まれて支持されている。更にバックアップ材４３３４の見付方向内側には、シール材４３３５が塗工される。
【００３０】
戸尻框４４は、断面矩形の中空の縦框本体部４４１を有している。縦框本体部４４１の見付方向外側には、衝撃緩衝部材４４１２が設けられている。衝撃緩衝部材４４１２は、断面Ｌ字状に形成された固定部材４４１１によって、縦框本体部４４１に固定されている。一方の吊り障子４の戸尻框４４に設けられた衝撃緩衝部材４４１２と、他方の吊り障子４の戸尻框４４に設けられた衝撃緩衝部材４４１２とは、同一形状に形成されており、これらは、中央位置側の２つの戸先框４３のうちの一方の戸先框４３に設けられた、凸部が形成された衝撃緩衝部材４３２１と同一の形状に形成されている。
【００３１】
縦框本体部４４１の見付方向内側には、戸先側本体部４４３が壁部４４４によって隔てられて設けられている。戸先側本体部４４３には、両脇にホロー構造の中空の両脇部が設けられることにより中央側（ガラスパネル３５の見付方向内側）へ向って開口する戸先側ガラスパネル支持凹部４４３２が形成されている。戸先側ガラスパネル支持凹部４４３２には、ガラスパネル４５の側部が挿入されて支持されている。縦框本体部４４１と戸先側本体部４４３とを隔てる壁部４４４には、セッティングブロック４４３３がねじによって固定されている。ガラスパネル４５の中央側の端部は、セッティングブロック４４３３に当接している。また、ガラスパネル４５は、バックアップ材４４３４によって挟まれて支持されている。更にバックアップ材４４３４のガラスパネル３５の見付方向内側には、シール材４４３５が塗工される。
【００３２】
また、図８に示すように、戸尻框４４には、シリンダ錠８のデッドボルト８３（図６参照）が係合可能な係合穴４４５が形成されている。係合穴４４５の開口の形状は、長方形状であり、係合穴４４５にシリンダ錠８のデッドボルト８３が係合することにより、吊り障子４が施錠される。
図８は、引戸１における中方立２４に設けられたシリンダ錠８のデッドボルト８３が係合する係合穴４４５を示す斜視図である。
【００３３】
レール９は、一方の中方立２４近傍の位置から他方の中方立２４近傍の位置に至るまで（戸先框４３の可動範囲）に設けられている。図６、図９、図１０等に示すように、レール９には、第１の振れ止め４２７が挿入された状態で、第１の振れ止め４２７及び吊り障子４の下部を含めて吊り障子４を案内するレール溝９１が、レール９の一端から他端に至るまで形成されている。レール溝９１には、施錠装置としてのシリンダ錠８のデッドボルト８３は係合しないため、浅く幅が狭い。このため、障子４が開いたときにレール溝９１に硬貨を落としたとき、１０円硬貨がレール溝９１に入った場合、上端がレール溝９１からはみ出ており、引戸１が閉じられると、戸先框４３の先端に当り、中央位置である台形状部材９２付近まで案内されるようになっている。また、例えば日本国政府発行の硬貨のうちで最も直径の小さい１円硬貨（直径２０ｍｍ）Ｙをレール溝９１に落としたときに、図９に示すように、１円硬貨Ｙの下端部は、レール溝９１の角部に位置し、１円硬貨Ｙの上端は、レール溝９１からはみ出るようにレール溝の対角線の長さが２０ｍｍ未満となるように構成されている。この場合、前述と同様に障子４が閉じられると、１円硬貨は突出が小さいため、戸先框４３には当たらず、第１振れ止め４２７に当たり、中央位置に案内される。よって、直径が２０ｍｍを超える大きな硬貨がレール溝９１に入った場合には、硬貨の上端がレール溝から大きくはみ出るため、戸先框４３に当り、中央位置まで案内される。
図９は、引戸１におけるレール９に、１円硬貨が落ちた様子を示す断面図である。
【００３４】
レール９の中央位置におけるレール溝９１には、図１１に示すように、台形状部材９２が設けられている。台形状部材９２は、側面視で台形状をしており、台形状部材９２の底面は、レール溝９１の底面に載置されている。台形状部材９２の上面は、上下方向において、レール溝９１の開口とほぼ同じ位置にある。上面と底面とは、傾斜面によって接続されている。
図１１は、引戸１におけるレール９の台形状部材９２を示す斜視図である。
【００３５】
図６に示すように、レール９の端部、即ち、中方立２４側の端部には、第２の振れ止め９５が設けられている。第２の振れ止め９５は、図４等に示すように、ステンレス鋼製の長方形状の板の中央部分が山となるように折り曲げられて重ね合わされた重ね合わせ部９５１と、その重ね合わせ部９５１に一体的に接続されている一端部９５２及び他端部９５３とを有している。一端部９５２及び他端部９５３は同一平面状に位置しており、これらは、それぞれねじ９５４によってレール９の溝を構成する上面両脇の部分に固定されている。従って、上側へ向けて開口するレール溝９１の開口の一部は、第２の振れ止め９５によって上側が覆われている。しかし、上側が覆われているのは第２の振れ止め９５が設けられている部分だけであり、第２の振れ止め９５の下側には、図４に示すように、レール溝９１を形成する空間が残されているため、レール溝９１の延びる方向における第２の振れ止め９５の両側のレール溝９１の部分は、覆われておらず連通しており開放されている。即ち、第２の振れ止め９５は、レール９の戸尻側の一端部に設けられていることから、レール溝９１の一端部は、開放されている。
図４は、引戸１における吊り障子４の戸尻側の縦断面図である。
【００３６】
重ね合わせ部９５１には、ポリアセタール製の樹脂カバー９５５が固定されている。樹脂カバー９５５は、重ね合わせ部９５１の全体を取り巻くように設けられている。第２の振れ止め９５は、下框４２の框レール溝４２４１に挿入された状態とされ、吊り障子４をレール９に沿って移動可能に案内する。
【００３７】
前述のようにレール９は、見付方向において一方の中方立２４近傍の位置から他方の中方立２４近傍の位置に至るまで設けられており、従って、レール９の長さは、一方の中方立２４から他方の中方立２４までの長さと同等であり、レール９に案内される吊り障子４の幅と同等である。
【００３８】
ここで、「レール９の長さは、一方の中方立２４から他方の中方立２４までの長さと同等」とは、厳密に一方の中方立２４から他方の中方立２４までの最短距離と同一であるということのみを含むことを意味するだけではなく、一方の中方立２４の近傍から他方の中方立２４の近傍もしくはそれよりも若干長い位置までの長さをも含むことを意味する。レール９の長さは、障子４の可動範囲よりも障子４の開方向に長く形成されてもよい。また、ここで、「レール９に案内される吊り障子４の幅と同等」とは、本実施形態の場合には、引戸１は、吊り障子４を２枚有しているため、２枚分の吊り障子４の幅を、「吊り障子４の幅」と呼ぶが、この「吊り障子４の幅」とほぼ同じぐらいの長さ有していることを意味する。レール９の長さは、２枚分の障子４の戸先框の可動範囲とほぼ同じくらいの長さを有しており、その端部は、中方立２４よりも吊り障子４の開方向における外側まで延びている（図３参照）。即ち、図３に示すように、レール９の長さは、吊り障子４の閉鎖時における戸尻框４４よりも見付方向外側まで延びている、この部分に第１振れ止め４２７によりレール９内の塵埃がレール９の端部に集積され、掃除機などのノズル先端をレール溝９１に差し込むことができるようにしてある。
【００３９】
具体的には、吊り障子４は、図１に示すように、ＦＩＸ板としてのガラスパネル３５と吊り障子４のガラスパネル４５とがほぼ一致する位置関係で重なることにより吊り障子４が全開の状態となるが、このような状態となることが可能な程度に、レール９が長ければよいことを意味する。即ち、レール９には、第２の振れ止め９５が設けられており、吊り障子４の下框４２には、第１の振れ止め４２７が設けられているため、吊り障子４が閉鎖している状態から、吊り障子４をレール９に沿って移動させてゆくと、第１の振れ止め４２７と第２の振れ止め９５とが当接して、これ以上吊り障子４が開かない全開の状態になる。このように、第１の振れ止め４２７と第２の振れ止め９５とが当接した状態で、ＦＩＸ板としてのガラスパネル３５と吊り障子４のガラスパネル４５とがどの程度一致するかによって、第２の振れ止め９５を所定の位置に固定するためにレール９の長さが違ってくる。しかし、図１に示すように、大体ＦＩＸ板としてのガラスパネル３５と吊り障子４のガラスパネル４５とが一致している状態となるように、第１の振れ止め４２７と第２の振れ止め９５とを配置させることが可能な程度の長さを、レール９は有していることを意味する。障子４が閉鎖した状態で戸尻框４４の位置よりも見付方向外側にレール９が延びている。そのため、第１振れ止め４７２のモヘア４２７２によって掃き出された、塵、埃などが第２振れ止め９５のレール溝９１を通過して集積される。
【００４０】
上記構成による引戸１によるレール溝９１の清掃・異物除去の動作は以下のとおりである。
先ず、検知センサ２１３が人体を検知すると、不図示の駆動装置によって吊り障子４が閉鎖されている状態から、吊り障子４をレール９に沿って開き方向に移動させてゆく。すると、図１０に示すように、第１の振れ止め４２７に設けられているモヘア４２７２がレール溝９１内を掃いてゆくため、レール溝９１内の塵埃や異物は、モヘア４２７２により戸尻側へ掃き出されてゆく。そして、吊り障子４が開放され全開の状態となり、第１の振れ止め４２７が第２の振れ止め９５に当接する位置に至ると、モヘア４２７２により掃かれてきたレール溝９１内の塵埃は、第２の振れ止め９５の下側のレール溝９１の部分を通過し、第２の振れ止め９５よりも外側へ寄せられる。
【００４１】
そして、吊り障子４が開放されている状態のときには、吊り障子４、４間を人が通過するが、これにより、塵埃や、人が落とした硬貨等がレール溝９１内に入る。このとき、図９に示すように、レール溝９１の深さが浅いため、前述のように、１円硬貨Ｙをレール溝９１に落としたときには、１円硬貨Ｙの下端部は、レール溝９１の角部に位置し、１円硬貨Ｙの上端は、レール溝９１から若干はみ出る。
【００４２】
そして、人が通過した後に、吊り障子４がそれぞれ中央位置側へ移動してゆくときには、第１の振れ止め４２７に設けられているモヘア４２７２がレール溝９１内、特に底面を掃いてゆくため、レール溝９１内の塵埃、硬貨やコイン等の円板を含む板状体は、モヘア４２７２により戸先側、即ち、中央位置側へ掃き出されてゆく。そして、吊り障子４が閉鎖され全閉の状態となり、第１の振れ止め４２７が台形状部材９２の近傍の位置に至ると、モヘア４２７２により掃かれてきたレール溝９１内の塵埃は、台形状部材９２の近傍に集められる。
【００４３】
その後、例えば、店舗の店員などの引戸１の管理者は、吊り障子４を再び開放した状態とし、引戸１のレール９の中央位置に集められた塵埃や硬貨を除去する。具体的には、レール９の中央に設けられている台形状部材９２の斜面を利用して、レール溝９１内の塵埃や硬貨をレール溝９１内から掃出して、これらを除去する。
また、引戸１の管理者は、吊り障子４を再び閉鎖した状態とし、引戸１のレール９の戸尻側に集められた塵埃や硬貨を除去する。具体的には、レール９の戸尻側の端部であって、第２の振れ止め９５よりも外側のレール溝９１の中から塵埃や硬貨を掃出して、これらを除去する。
【００４４】
以上説明した本実施形態の建具１によれば、以下のような効果を奏する。
本実施形態においては、吊り障子４の下部は、レール９に形成されたレール溝９１を清掃する清掃部品としてのモヘア４２７２を備える。
【００４５】
吊り障子４が開放されたときには、塵埃や硬貨がレール溝９１に入り込む。このため、レール溝９１全長に塵埃や硬貨が溜まる。このため、吊り障子４の開閉不良防止及び引戸１の美観を保つために、一定期間ごとにレール溝９１を清掃する必要がある。本実施形態においては、上述のように、吊り障子４が閉鎖する方向へ移動しているときに、レール溝９１に入った塵埃や硬貨は、第１振れ止め４２７のモヘア４２７２により、レール溝９１の中央位置に寄せられる。このため、例えば店員は、レール溝９１の中央位置のみ掃除をすればよく、効率よく掃除の作業をすることが可能となり、清掃性を向上させることができる。
また、モヘア４２７２は、柔らかいので、本実施形態のように、吊り下げられている吊り障子４が下がった場合であっても、第２の振り止め９５が強くレール溝９１の底面に衝突することが抑えられ、また、第２の振り止めがレール９に引っ掛かることを防ぐことが可能である
【００４６】
また、レール溝９１の吊り障子４の閉鎖状態における戸先框４３近傍には、レール溝９１の底部から上方に延びる傾斜面を有する台形状部材９２が設けられている。これにより、レール９の中央において台形状部材９２の斜面を利用して、レール溝９１内の塵埃や硬貨をレール溝９１内から掃出して、これらを除去することを容易とすることができる。
【００４７】
また、本実施形態においては、レール９の長さは、吊り障子４の戸先框４３の可動範囲と同等である。これにより、吊り障子４が移動する範囲の全域にレール９を設ける必要がなくなり、レール９を短い構成とすることが可能である。このため、レール溝９１に溜まる塵埃や硬貨の量を抑えることが可能となり、清掃の手間を従来の半分とすることが可能となる。
【００４８】
また、レール９の長さは、吊り障子４の閉鎖時における戸尻框４４よりも見付方向外側まで延びている、これにより、戸尻框４４よりも見付方向外側まで延びているレール９の部分に塵、埃などを集積させることが可能となる。
【００４９】
また、本実施形態においては、レール溝９１の一端部は開放されている。これにより、第２振れ止め９５の下に塵埃が溜まることを抑えることが可能となる。これにより、掃除機で塵埃を簡単に吸引できる。
【００５０】
また、本実施形態においては、清掃部品としてのモヘア４２７２は、吊り障子４の戸先側の振れ止めである第１の振れ止め４２７に設けられている。これにより、レール９の長さが短いことと相まって、吊り障子４がレール溝９１に沿って移動することにより第１の振れ止め４２７がレール溝９１に沿って移動する。これによりモヘア４２７２によって、レール溝９１の中央位置近傍から吊り障子４の戸尻側の端部に至るまで、清掃することが可能となる。
【００５１】
また、本実施形態においては、清掃部品としてのモヘア４２７２は、吊り障子４の閉鎖状態における戸先側のレール溝９１の近傍に設けられている。
【００５２】
これにより、レール９の長さが短いことと相まって、吊り障子４がレール９に沿って移動することにより、モヘア４２７２がレール溝９１に沿って移動する。これにより清掃部品によって、レール溝９１の中央位置近傍から吊り障子４の戸尻側の端部に至るまで、清掃することが可能となる。
【００５３】
また、本実施形態においては、吊り障子４の下端部に設けられ、レール９に案内される第１の振れ止め４２７と、レール９の中方立２４側に設けられ、吊り障子４を案内する第２の振れ止め９５と、中方立２４に設けられ、吊り障子４に係合可能な施錠装置としてのシリンダ錠８と、を備える。
【００５４】
これにより、従来のように、防犯上の観点からレール９の溝を深くしてシリンダ錠８のデッドボルト８３をレール溝９１に係合させる必要がないため、レール溝９１を浅くすることができる。このため、硬貨等の異物がレール溝９１内に深く入り込むことを防止でき、これにより硬貨等を容易に取り出すことが可能となる。また、吊り障子４の移動に伴い、第１の振れ止め４２７がレール溝９１に案内されることにより、レール溝９１内の硬貨等を掃き出すことができるため、振れ止めに硬貨が噛み込まれることを防止できる。
【００５５】
また、本実施形態においては、レール９の長さは、前記障子の戸先框の可動範囲と同等である。
【００５６】
これにより、レール９は、吊り障子４が閉鎖された状態のときに、吊り障子４の下框４２にほぼ一致した位置関係で配置されており、この状態でレール９は、中方立２４より戸尻側には無いため、レール９に関してこの部分の清掃が不要になる。このため、清掃姓を高めることが可能となる。
【００５７】
また、本実施形態においては、第２の振れ止め９５は、レール９の溝を塞がないように、レール上面にねじ９５４で固定されている。即ち、レール９の溝はその長手方向全域で連通するように設けられている。これにより、第２振れ止め９５の下を塵埃や異物が通り抜けることが可能である。このため、塵埃がこの部分に溜まり、取れにくくなることが抑えられる。これにより、掃除機で塵埃を簡単に吸引できる。
【００５８】
本発明は上記実施形態に限定されるものではなく、本発明の目的を達成できる範囲での変形、改良等は本発明に含まれる。
【００５９】
例えば、上記実施形態では、引戸１は、引分け戸であったが、これに限定されない。例えば、引戸は、図１２に示すような片引き戸１Ａ等であってもよい。この場合には、図１２に示すように、レール９Ａの長さは、片引き戸１Ａの可動範囲、もしくは縦枠２３Ａから中方立２４Ａまでの長さと同等である。
図１２は、引戸１Ａにおけるレール９Ａを示す斜視図である。
【００６０】
ここで、「レール９Ａの長さは、縦枠２３Ａから中方立２４Ａまでの長さと同等」とは、厳密に縦枠２３Ａから中方立２４Ａまでの長さであるということのみを含むことを意味するだけではなく、一方の中方立２４Ａから他方の中方立２４Ａまでの長さより若干長いことをも含むことを意味する。
【００６１】
具体的には、吊り障子４Ａは、ＦＩＸ板としてのガラスパネル３５Ａと、吊り障子４Ａのガラスパネル４５Ａとがほぼ一致する位置関係で重なることにより吊り障子４Ａが全開の状態となるが、このような状態となることが可能な程度に、レール９Ａが長ければよいことを意味する。即ち、レール９Ａには、第１実施形態の第２の振れ止め９５と同一の第２の振れ止めが設けられており、吊り障子４Ａの下框４２Ａには、第１実施形態の第１の振れ止め４２７と同一の第１の振れ止めが設けられているため、吊り障子４Ａが閉鎖している状態から、吊り障子４Ａをレール９Ａに沿って移動させてゆくと、第１の振れ止めと第２の振れ止めとが当接して、これ以上吊り障子４Ａが開かない全開の状態になる。このように、第１の振れ止めと第２の振れ止めとが当接した状態で、ＦＩＸ板としてのガラスパネル３５Ａと吊り障子４のガラスパネル４５Ａとがどの程度一致するかによって、第２の振れ止めを所定の位置に固定するためにレール９Ａの長さが違ってくるが、大体ＦＩＸ板としてのガラスパネル３５Ａと吊り障子４Ａのガラスパネル４５Ａとが一致している状態となるように、第１の振れ止めと第２の振れ止めとを配置させることが可能な程度の長さを、レール９Ａは有していることを意味する。
【００６２】
また、引戸の各部の構成は、上述した実施形態の引戸１の各部の構成に限定されない。即ち、例えば、清掃部品は、モヘア４２７２に限定されず、モヘア４２７２に代えて、塵埃を掃きやすいシート状のものやゴム状のヘラ状のものを用いてもよい。
【００６３】
また、本実施形態においては、シリンダ錠８は、中方立２４に設けられ、吊り障子４に係合可能であったが、この構成に限定されない。施錠装置は、中方立又は障子のいずれか一方に設けられ、中方立又は障子の他方に係合可能であればよい。
【符号の説明】
【００６４】
１…引戸
４…吊り障子（障子）
９…レール
４３…戸先框
４４…戸尻框
９１…レール溝
９２…台形状部材（傾斜部材）
４２７２…モヘア
４２７…第１の振れ止め
【図１】
2019065600.tif 000003
【図２】
2019065600.tif 000004
【図３】
2019065600.tif 000005
【図４】
2019065600.tif 000006
【図５】
2019065600.tif 000007
【図６】
2019065600.tif 000008
【図７】
2019065600.tif 000009
【図８】
2019065600.tif 000010
【図９】
2019065600.tif 000011
【図１０】
2019065600.tif 000012
【図１１】
2019065600.tif 000013
【図１２】
2019065600.tif 000014